(57)【要約】      （修正有）【課題】従来の健康器はサイクル運動による足裏のツボを刺激しても、手はハンドルを握る形式であった。又、手足同時に運動ができなかった。【解決手段】前側ベースにメーンポール２を固定し、後側ベース３上方に座板支柱５を設けると共に、頂部に座板６を載せ、メーンポールと座板支柱とはサブポール７によって連結し、前側メーンポール内部には連結棒８を介し、上部と下部に傘歯車９，１０，１１，１２，１３を配置して、上部傘歯車にはクランク軸２２を介し、手動の回転装置を設けると共に、下部傘歯車にはクランク軸１４を介し、足踏みの回転装置を設ける。これらクランク軸に設けられた回転装置は手のひらのツボを刺激したり、足裏のツボを刺激する為の駒が回転するに従って位置を変え回転移動する。又、上部傘歯車と下部傘歯車の回転を切換装置の簡単な操作により、単独回転も連動回転でも行え、正転も逆転も空転をも行えることができる。【選択図】  図１
2004237053.tif 000002
【特許請求の範囲】
【請求項１】
前側ベースにメーンポールを固定し、後側ベース上方に座板支柱を設けると共に、頂部に座板を載せ、メーンポールと座板支柱とはサブポールによって連結し、前側メーンポールの内部には連結棒を介し、上部と下部に傘歯車を配置して、上部傘歯車軸にはクランク軸を介し、手動の回転装置を設けると共に、下部傘歯車軸にはクランク軸を介し、足踏みの回転装置を設ける。これらクランク軸に設けられた回転装置は手のひらのツボを刺激したり、足裏のツボを刺激する為の駒が回転するに従って位置を変え回転移動することを特徴とした健康ローラーバイク。
【請求項２】
上部傘歯車と下部傘歯車の回転を切換装置の簡単な操作により、単独回転も連動回転でも行え、正転も逆転も空転をも行えることができることを特徴とした請求項１記載の健康ローラーバイク。
【発明の詳細な説明】
【０００１】
【発明の属する技術分野】
本発明は、手動の回転装置及び足踏み回転装置をそなえ、自分の力によるサイクル運動により手のひらや足裏のツボを刺激すると共に腕の筋力及び足の筋力を鍛える。又、切換装置の簡単な操作により、連動回転も単独回転をも行え、更に正転も逆転も空転をも行える健康ローラーバイク。
【０００２】
【従来の技術】
従来の技術には、ペタル軸に指圧突起を多数設定あるいは指圧駒が回転できるようにクランク軸にモーターを取り付け、クランク軸を回転するようにしたサイクル運動器が、特開平８−３２２８９３に記載されている。又、土踏まずでペタルを漕ぎハンドル部に回転を伝え、握った掌や指にそして土踏まずにおいて健康ツボを刺激し健康を増進する目的のローラーハンドル健康機が実開平５−９３４３４に記載されている。これらの運動器（機）は足裏のツボを刺激しても手はハンドルを握る形式である。又、ハンドルに回転を伝え掌のツボに刺激与えても、手のひら足裏のツボを刺激すると共に、手足の回転運動を同時に行うことができなかった。更にこれらの運動器（機）は、重量があるため固定式が多く移動収納が困難である。本発明は、手動及び足踏みの回転装置を切換装置の簡単な操作により手のひら、足裏のツボを同時に刺激することも切り離して単独でも行え、正転も逆転も空転をも行えるようにした。更に折り畳が可能で移動も簡便であることを特徴とした健康ローラーバイク。
【０００３】
【発明が解決しようとする課題】
本発明の課題は、高齢者及び病後の筋力回復と体力回復、更には手及び足裏のツボへの刺激によるボケ防止と健康増進を目的として考案した。高齢者や病後は筋力や体力が著しく低下することから自分の筋力、体力に見合った運動ができるように電動駆動ではなく自力駆動とした。腕力の低下した人は、握りを軽く握り、足踏みのサイクル運動による連動回転で、手及び腕部も同時にサイクル運動し低下した腕力を補うと共に握りに設けたローラーの回転により手のひらのツボを刺激し血行の促進も考慮した。又、脚力の低下した人は、ペタルに足を乗せることで手動のサイクル運動による連動回転で低下した脚力を補うと共にペタルに設けた駒の回転により足裏のツボを刺激して血行を促進し健康増進をはかった。又、前記、連動回転や単独回転は切換装置の簡単な操作により行い、正転も逆転も空転をも行える多彩な運動機能を備えることを考慮した。更に従来の健康器（機）は、重量があるため固定式で移動と収納が困難であったが、本発明ではメーンポールとサブポール及び後ベース両脇につなぎ材を設けたことで、メーン−ポールを前側に少々倒すことで簡便に折り畳が可能となった。使用時は垂直に立て、やゝ後ろに倒すことにより拡がり使用可能となる。更に、前側ベースにキャスターを設置したことで移動及び収納も簡便に行えるよう考慮した。
【０００４】
【課題を解決するための手段】
本発明を達成するためには、前側ベースにメーンポールを固定し、後側ベース上方に座板支柱を設けると共に、頂部に座板を載せ、メーンポールと座板支柱とはサブポールによって連結し、前側メーンポールの内部には連結棒を介し、上部と下部に傘歯車を配置して、上部傘歯車にはクランク軸を介し、手動の回転装置を設け、下部傘歯車にはクランク軸を介して足踏みの回転装置を設けた。
【０００５】
又、手動の回転装置はクランク軸を介してクランクを固設し、クランクに握り軸を固設し握りを固定した。握りの内枠と外枠の間に複数のローラー軸を固定し、それぞれのローラー軸に回転するローラーを複数配置した。手動でサイクル運動を行うことにより、握りに配置したローラーが回転し手のひら全面のツボを刺激すると共に腕部も回転運動する。
【０００６】
更に、足踏みの回転装置はクランク軸を介してクランクを固設し、クランクにペタル軸を固定しペタルを取り付けた。
【０００７】
ペタルにはＡ面とＢ面の２面がある。ペタルＡ面には、ペタル軸に歯車を固設すると共にペタル枠の複数の駒軸にも歯車を取り付け、ペタル枠内のペタル軸には複数の駒枠を固定した。駒枠には駒を配置した。又、ペタルＢ面は平らで足裏のツボを刺激する機能は無い。
【０００８】
足踏みのサイクル運動を行うことにより、ペタル軸に固設した歯車が回転すると共に駒軸に取り付けた歯車も連動して回転する。と同時に駒軸も駒枠も、駒枠に配置した駒も回転するに従って位置を変え回転移動し足裏全面のツボを刺激する。
【０００９】
又、メーンポールに取り付けた切換装置取はクラッチハンドルに連結したクラッチスポークを介してメーンポール内、下部に設けたクラッチレバーとクランク軸に設置したクラッチに接続している。
【００１０】
このクラッチハンドルを操作することで、クラッチスポークとクラッチレバーを介してクラッチが作動し、下部傘歯車と連結棒を介し上部傘歯車に作動して単独回転も連動回転も行え、更に正転も逆転も空転をも可能とした。
【００１１】
又、メーンポールとサブポール及び後ベース両脇につなぎ材を設けたことで、メーンポールを前側に少々倒すことで簡便に折り畳が可能となった。使用時は垂直に立て、やゝ後ろに倒すことにより拡がり使用可能となる。
【００１２】
更に、前側ベースにキャスターを設置したことで移動及び収納も簡便に行うことができる。
【００１３】
【発明の実施の形態】
本発明の実施の形態を実施例に基づき、図面を参照して説明する。前側ベース１にメーンポール２を固定し、後側ベース３上方に座板支柱５を設けると共に、頂部に座板６を載せ、メーンボール２と座板支柱５とはサブポール７によって連結し、メーンポール２の内部には連結棒８を介し、上部と下部に傘歯車９，１０，１１，１２，１３を配置して、上部傘歯車９，１０にはクランク軸２２を介し、手動の回転装置２２，２３，２４，２５を設け、下部傘歯車１１，１２，１３にはクランク軸１４を介して足踏みの回転装置１５，１６，１７，１８を設けた。
【００１４】
手動の回転装置２３，２４，２５にはクランク軸２２を介してクランク２３を固設し、クランク２３に握り軸２５を固設し握り２４を固定した。握り２４の内枠２６と外枠２７の間に複数のローラー軸２９を固定し、それぞれのローラー軸２９に回転するローラー２８を複数配置した。手動でサイクル運動を行うことにより、握り２４に配置したローラー２８が回転し手のひら全面のツボを刺激すると共に腕部も回転運動する。
【００１５】
足踏みの回転装置１５，１６，１７，１８にはクランク軸１４を介してクランク１５を固設し、クランク１５にペタル軸１６を固定しペタル１８を取り付けた。
【００１６】
ペタル１８にはＡ面３１とＢ面３２の２面がある。ペタルＡ面３１は、ペタル軸１６に歯車１７を固設すると共にペタル枠１９の複数の駒軸２１にも歯車１７を取り付けた。ペタル枠１９内の駒軸２１には複数の駒枠３６を固定した。駒枠３６には駒２０を配置した。又、ペタルＢ面３２は平らで足裏のツボを刺激する機能は無い。
【００１７】
足踏みのサイクル運動を行うことにより、ペタル軸１６に固設した歯車１７が回転すると共に駒軸２１に取り付けた歯車１７も連動して回転する。と同時に駒軸２１も駒枠３６も、駒枠３６に配置した駒２０も回転するに従って位置を変え回転移動し足裏全面のツボを刺激する。
【００１８】
又、メーンポール２に取り付けた切換装置３０，３４，３５，３７は、クラッチハンドル３０に連結したクラッチスポーク３７を介してメーンポール２内、下部に設けたクラッチレバー３５とクランク軸１４に設置したクラッチ３４に接続している。
【００１９】
このクラッチハンドル３０を操作することでクラッチスポーク３７とクラッチレバー３５を介してクラッチ３４が作動し、下部傘歯車１１，１２，１３と連結棒８を介し、上部傘歯車９，１０に作動して単独回転でも連動回転も行え、更に正転も逆転も空転をも可能とした。
【００２０】
又、メーンポール２とサブポール７及び後ベース４両脇につなぎ材３８を設けたことで、メーンポール２を前側に少々倒すことで簡便に折り畳が可能となった。使用時は垂直に立て、やゝ後ろに倒すことにより拡がり使用可能となる。
【００２１】
更に、前側ベース１にキャスター３３を設置したことで移動及び収納が簡便に行うことができる。
【００２２】
【発明の効果】
本発明は手動の回転装置及び足踏みの回転装置を備え、自分の力によるサイクル運動により、手のひらや足裏のツボを刺激すると共に腕の筋力及び足の筋力を鍛える。更に切換装置を備え、簡単な操作で単独回転も連動回転でも行え、正転も逆転も空転も可能で多彩な機能を備えていることから、以下に記載する効果が期待できる。
▲１▼電動駆動ではなく、自力駆動なので自分の筋力、体力にあった緩やかな運動が
可能である。
▲２▼切換装置を備えているので、手や腕、足のサイクル運動は単独でも連動回転も
可能であり、正転も逆転も空転も可能で多彩な運動ができる。
▲３▼腕の筋力が弱っている場合、脚力でのサイクル運動により、手・腕への補助が
可能である。
▲４▼脚力が弱っている場合、手及び腕でのサイクル運動により、足への補助が可能
である。
▲５▼握りは、ローラーが回転することにより手のひらのツボを刺激し、血行を促進
し健康増進を図ることが可能である。
▲６▼ペタルは、足裏のツボを刺激する複数の駒を配置した面と平らな面の２面式になっていて自由に使い分けができ、足裏のツボを刺激することで血行を促進し
健康増進を図り、更には脳をも刺激してボケを防止することが可能である。
▲７▼メーンポールを前側に少々倒すことにより折り畳が簡便に行うことができる。
又、使用時は本機を垂直に立て、やゝ後ろに倒すことにより拡がり使用可能となる。更に、前側ベース両端にキャスターを設置したので、移動及び収納が簡
便である。
【図面の簡単な説明】
【図１】本発明の基本となる斜面図である。
【図２】メーンポール内の構造図である。
【図３】駒回転移動図である。
【図４】ペタルＡ面内部構造図である。
【図５】駒枠の図である。
【図６】握り正面及び横面図である。
【図７】折り畳み及び移動図である。
【符号の説明】
１  前側ベース
２  メーンポール
３  後側ベース
４  後ベース
５  座板支柱
６  座板
７  サブポール
８  連結棒
９  傘歯車
１０  傘歯車
１１  傘歯車
１２  傘歯車
１３  傘歯車
１４  クランク軸
１５  クランク
１６  ペタル軸
１７  歯車
１８  ペタル
１９  ペタル枠
２０  駒
２１  駒軸
２２  クランク軸
２３  クランク
２４  握り
２５  握り軸
２６  内枠
２７  外枠
２８  ローラー
２９  ローラー軸
３０  クラッチハンドル
３１  ペタルＡ面
３２  ペタルＢ面
３３  キャスター
３４  クラッチ
３５  クラッチレバー
３６  駒枠
３７  クラッチスポーク
３８  つなぎ材
【図１】
2004237053.tif 000003
【図２】
2004237053.tif 000004
【図３】
2004237053.tif 000005
【図４】
2004237053.tif 000006
【図５】
2004237053.tif 000007
【図６】
2004237053.tif 000008
【図７】
2004237053.tif 000009